(57)【特許請求の範囲】
【請求項１】
ケース本体は、断面が略方形で筒状又はソケット状をなす弾性変形可能の蓋取付方形枠部を有しており、該蓋取付方形枠部内に、その端の開口から、輪郭が略方形の蓋が所定量、奥に押し込まれることによって所定の蓋取付位置に取り付けられる、ケースにおける蓋の取付構造であって、
前記蓋取付方形枠部内には、前記蓋の押し込まれ過ぎを防ぐストッパと、前記蓋取付位置に取り付けられた蓋が手前に移動し、分離するのを防ぐ係止部とが設けられており、
該係止部は、該蓋取付方形枠部をなす対向する二組の内壁面のうちの一組の内壁面に、前記蓋の取り付け前における最小内寸法Ｗｘｔが、前記蓋の対応する対辺寸法Ｈｘより小さくなるように、内向きに突出し又は隆起するように設けられており、
前記蓋の取り付け前の前記蓋取付方形枠部のうち、前記蓋取付位置における前記係止部が設けられている対向する内壁面の相互の対辺寸法Ｗｘが、前記蓋の対応する対辺寸法Ｈｘより大きくされている一方、前記蓋取付位置における前記係止部が設けられていない対向する内壁面の相互の対辺寸法Ｗｙが、前記蓋の対応する対辺寸法Ｈｙより小さくされており、
前記蓋が押し込まれて前記蓋取付位置に取り付けられている状態において、前記係止部が設けられていない対向する前記内壁面の相互の間隔が前記蓋によって広げられることに対応し、この内壁面相互が該蓋を締め付けると共に、この広げられに対応して、前記係止部が設けられている対向する前記内壁面の相互の間隔が狭められるように、前記蓋取付方形枠部が変形する設定とされていることを特徴とする、ケースにおける蓋の取付構造。
【請求項２】
前記係止部が、前記内壁面のうち、前記蓋取付方形枠部における隅角相互の中間部位に設けられていることを特徴とする、請求項１に記載のケースにおける蓋の取付構造。
【請求項３】
前記蓋取付方形枠部は、二組の対向する内壁面とも、前記蓋取付位置よりも開口端側において、開口端に向けて対辺寸法が次第に大きくなるように形成されていることを特徴とする、請求項１又は２のいずれか１項に記載のケースにおける蓋の取付構造。
【請求項４】
前記ケース本体が、底の有る筒構造をなし、前記蓋取付方形枠部が、該筒構造における開口端寄り部位に設けられていることを特徴とする、請求項１〜３のいずれか１項に記載のケースにおける蓋の取付構造。
【請求項５】
前記ケース本体が回路基板収容用のケース本体であり、前記蓋がコネクタ端子付きの蓋であることを特徴とする、請求項１〜４のいずれか１項に記載のケースにおける蓋の取付構造。
【請求項６】
前記ケース本体が回路基板収容用のケース本体であり、前記ストッパは、前記二組の内壁面のうちの一組の内壁面に、内向きに突出し又は隆起するように設けられている一方、
前記回路基板は、前記ストッパが設けられていない一組の内壁面である２つの内壁面に対面状に挟まれる配置となるように前記ケース本体内へ収容される設定とされており、
前記ストッパは、ストッパ自身の内壁面相互間における前記蓋の取り付け前における最小内寸法を前記回路基板の対応する幅寸法より小さいものとして設けられていると共に、前記回路基板が、前記ケース本体内への収容に際して対面状に挟まれる前記２つの内壁面のうちの所定の一方の内壁面側に偏在する所定の偏在配置となる場合にはその収容を妨げず、該回路基板がこの所定の偏在配置とならない場合にはその収容を止められる配置として、前記内壁面に設けられていることを特徴とする、請求項１〜５のいずれか１項に記載のケースにおける蓋の取付構造。
【請求項７】
ケース本体は、断面が略方形で筒状又はソケット状をなす弾性変形可能の蓋取付方形枠部を有しており、該蓋取付方形枠部内に、その端の開口から、輪郭が略方形の蓋を、所定量、奥に押し込むことによって所定の蓋取付位置に取り付ける、蓋付きケースの製造方法であって、
前記蓋取付方形枠部内には、前記蓋の押し込まれ過ぎを防ぐストッパと、前記蓋取付位置に取り付けられた蓋が手前に移動し、分離するのを防ぐ係止部とが設けられており、
該係止部は、該蓋取付方形枠部をなす対向する二組の内壁面のうちの一組の内壁面に、前記蓋の取り付け前における最小内寸法Ｗｘｔが、前記蓋の対応する対辺寸法Ｈｘより小さくなるように、内向きに突出し又は隆起するように設けられており、
前記蓋の取り付け前の前記蓋取付方形枠部のうち、前記蓋取付位置における前記係止部が設けられている対向する内壁面の相互の対辺寸法Ｗｘが、前記蓋の対応する対辺寸法Ｈｘより大きくされている一方、前記蓋取付位置における前記係止部が設けられていない対向する内壁面の相互の対辺寸法Ｗｙが、前記蓋の対応する対辺寸法Ｈｙより小さくされており、
前記蓋を押し込み、該蓋が前記蓋取付位置に取り付けられている状態において、前記係止部が設けられていない対向する前記内壁面の相互の間隔が前記蓋によって広げられることに対応し、この内壁面相互が該蓋を締め付けると共に、この広げられに対応して、前記係止部が設けられている対向する前記内壁面の相互の間隔が狭められるように、前記蓋取付方形枠部が変形する設定とされていることを特徴とする、蓋付きケースの製造方法。
【発明の詳細な説明】
【技術分野】
【０００１】
本発明は、ケース（筐体）本体内に回路基板等の収容物を収容し、その収容用の開口に蓋を取り付けて閉塞してなるケースに関し、詳しくは、そのようなケースにおける蓋の取付構造、及びそのような蓋付きケースの製造方法に関する。
【背景技術】
【０００２】
例えば、自動車のエンジンルームに配置される電子制御装置（以下、ＥＣＵ）は、多数の電子部品が実装、搭載された回路基板（以下、基板ともいう）と、この基板等を収容する樹脂製のケース本体と、基板等が収容されたケース本体の収容物（部品）の収容用の開口を閉塞する蓋等から構成される。ここに蓋には、例えば、この蓋の裏面に固定された回路基板における端子と電気的に接続されたコネクタ端子が、その蓋の外側に突出状に設けられるものがある。このような蓋は、その開口の閉塞後において、外側に突出するコネクタ端子に、相手方のコネクタ（メス）端子が嵌合され接続される。このような蓋は、ケース（本体）内に収容された回路基板等の保護のため、振動や衝撃に対しても安定した取付状態となることや、相手方のコネクタ端子の引き抜き等における外力に対しても、分離、脱落がないことが要請される。
【０００３】
このような要請にこたえるための蓋の取付構造としては次のようなものが知られている。例えば、ケース本体における部品の収容用の開口の周縁部位に、環状のゴムパッキンを介在させる。そして、蓋（カバー）の周縁部位がこのパッキンを押えるようにして、その蓋を開口の周縁部位において、ビスをねじ込んでネジ止めするようにした取付（固定）構造である（特許文献１、特許文献２）。このものは、水密が確保されるメリットが得られる反面、次のようなデメリットがある。例えば、ケース本体のうち、蓋が取付けられる開口を含む部位が横断面方形（正方形、又は長方形）の筒状のものである場合には、少なくとも、その方形の周縁部位において、３箇所、或いは四隅近傍において４箇所、ネジ止めすることになる。このため、少なくとも３つのネジ部品を要する上に、そのねじ込み工程を要するがために、ケース、すなわち、蓋付きケース（以下、単に「ケース」ともいう）の製造、組立てコストの増大を招くといった点である。
【０００４】
こうした中、これとは別の蓋の取付構造（手段）としては次のようなものが考えられる。ケース本体は、プラスチック（絶縁樹脂）からなり、内断面が方形で筒状（ソケット状）をなす弾性変形可能の蓋取付方形枠部を有しており、この蓋取付方形枠部内に、その端の開口から、内断面に対応する方形の蓋が、所定量、奥に押し込まれることによって蓋取付位置に取り付けられるようにしたものである。このものでは、蓋取付方形枠部内には、蓋の押し込まれ過ぎを防ぐストッパが設けられる一方、蓋取付位置よりも手前であって、通常、二組の対向する内壁面のうちの一組の対向する内壁面に対し、取付けられた蓋が手前に移動して分離するのを防ぐための係止部（ツメ、突起等）が設けられる。ここに、係止部は、対向する内壁面に、蓋取付前における最小内寸法が、蓋の対応する対辺寸法（外寸法）より小さくなるように、内向きに突出する（又は隆起する）ように設けられる。このものでは、この係止部に起因する蓋の押し込み（圧入）抵抗を軽減し、押し込みを簡易とするため、蓋取付方形枠部内の蓋取付位置における対向する縦横２組の内壁面の相互の間隔は、対応する蓋の対辺寸法より、いずれも微量、大きくされる。
【０００５】
これにより、蓋は、内向きに突出する係止部及びその部分近傍のケース本体側の変形等により、押し込むことができるから、比較的、小さい押し込み力でその取付ができる。したがって、その組み付け作業の簡易、迅速が図られる。なお、対向する２つの係止部は、蓋の押し込みの簡易化を図るため、要すれば、開口の奥に向かうに従って、その相互間の内寸法が小さくなるような傾斜の付いたものとされる。このものでは、蓋の押し込みにおいては、係止部における傾斜に、蓋の縁を押し付けて、一組の内壁面の相互の間隔を広げるように変形させ易い。そして、蓋が、その傾斜を乗り越えたとき、ストッパとその係止部との間（蓋取付位置）に取付けられると同時に、蓋取付方形枠部の変形の復元（弾性復帰）により、蓋の縁は所定の係り代で、構造的にその係止部にて止められ、手前に分離することが防止される。この取付け手段だけでは、水密の確保は困難であるものの、その取付は、蓋の押し込みに因るケース本体（蓋取付方形枠部）の変形、及びその復元を利用したものであるから、止めネジ等の別部材は要しない。しかも、その取付は押し込み（又は圧入）という単純作業で済むので、作業も簡易、迅速に行うことができる。このため、その取付構造における水密の確保を、別途に講じることができるような場合に好適な取付構造といえる。
【先行技術文献】
【特許文献】
【０００６】
【特許文献１】特開２００３−２５８４５０号公報
【特許文献２】特開２００６−０４９７０１号公報
【発明の概要】
【発明が解決しようとする課題】
【０００７】
ところで、前記したような押し込みによる蓋の取り付構造では、蓋取付方形枠部内の蓋取付位置における対向する縦横２組の内壁面の相互の間隔は、対応する蓋の対辺寸法より、縦横いずれも微量、大きくされている。このため、蓋が取付けられている状態においては、いわば隙間嵌め状態にあるから、微妙なガタツキが生じることがある。また、蓋が開口側（手前側）へ移動し、分離するのを防いでいるのは、内向に突出する係止部と、蓋の縁との係り代（寸法）に依存するのみである。したがって、押し込みによる蓋の取付状態だけでは、その取付の安定性が高いとは言えない。
【０００８】
一方、その蓋の取付の安定性を高めるためには、係止部の内向の突出量を大きくすることが考えられる。しかし、そのようにすると、係止部自体に割れや亀裂が入ったりする等の危険性がある。しかも、そのようにしても、微妙なガタツキの発生を防止することは困難である。このため、係止部の内向の突出量を大きくすることなく、蓋取付方形枠部内の蓋取付位置における対向する縦横２組の内壁面の相互の間隔を、対応する蓋の対辺寸法と、縦横、微量、小さくするか、同じにすることが考えられる。すなわち、その取付状態において、蓋が蓋取付方形枠部内において、縦横、締り嵌めとなるか、隙間なく緊密に取り付けられるようにするというものである。
【０００９】
しかし、このようにすれば、蓋の押し込みにおいて必要となる押し込み力は、極めて大きいものとなり、蓋の取付作業が困難となる。とりわけ、係止部が設けられている側の内壁面の相互においては、係止部の存在により圧入代が局部的に一層大きくなる。こうしたことから、縦横、いずれも締り嵌め等となるようにすると、蓋の押し込み過程や、その後の蓋の取付状態において、係止部や蓋取付方形枠部自体に割れや亀裂が入ったりする等の危険性さえもあるといえ、問題である。
【００１０】
本発明は、かかる問題点にかんがみてなされたもので、ケース本体の蓋取付方形枠部に対する蓋の押し込み（圧入）に要する力（荷重）の著しい増大を招くことなく、係止部の内向の突出量も適度に保持したままで、その押し込みによる取付後には、その蓋のガタツキもなく、しかも、分離、脱落の危険性を小さくできるようにした、ケースにおける蓋の取付構造、及びそのような蓋付きケースの製造方法を提供することを目的とする。
【課題を解決するための手段】
【００１１】
上記の課題を解決するために請求項１に記載の発明は、ケース本体は、断面が略方形で筒状又はソケット状をなす弾性変形可能の蓋取付方形枠部を有しており、該蓋取付方形枠部内に、その端の開口から、輪郭が略方形の蓋が所定量、奥に押し込まれることによって所定の蓋取付位置に取り付けられる、ケースにおける蓋の取付構造であって、
前記蓋取付方形枠部内には、前記蓋の押し込まれ過ぎを防ぐストッパと、前記蓋取付位置に取り付けられた蓋が手前に移動し、分離するのを防ぐ係止部とが設けられており、
該係止部は、該蓋取付方形枠部をなす対向する二組の内壁面のうちの一組の内壁面に、前記蓋の取り付け前における最小内寸法Ｗｘｔが、前記蓋の対応する対辺寸法Ｈｘより小さくなるように、内向きに突出し又は隆起するように設けられており、
前記蓋の取り付け前の前記蓋取付方形枠部のうち、前記蓋取付位置における前記係止部が設けられている対向する内壁面の相互の対辺寸法Ｗｘが、前記蓋の対応する対辺寸法Ｈｘより大きくされている一方、前記蓋取付位置における前記係止部が設けられていない対向する内壁面の相互の対辺寸法Ｗｙが、前記蓋の対応する対辺寸法Ｈｙより小さくされており、
前記蓋が押し込まれて前記蓋取付位置に取り付けられている状態において、前記係止部が設けられていない対向する前記内壁面の相互の間隔が前記蓋によって広げられることに対応し、この内壁面相互が該蓋を締め付けると共に、この広げられに対応して、前記係止部が設けられている対向する前記内壁面の相互の間隔が狭められるように、前記蓋取付方形枠部が変形する設定とされていることを特徴とする。
【００１２】
請求項２に記載の発明は、前記係止部が、前記内壁面のうち、前記蓋取付方形枠部における隅角相互の中間部位に設けられていることを特徴とする、請求項１に記載のケースにおける蓋の取付構造である。
請求項３に記載の発明は、前記蓋取付方形枠部は、二組の対向する内壁面とも、前記蓋取付位置よりも開口端側において、開口端に向けて対辺寸法が次第に大きくなるように形成されていることを特徴とする、請求項１又は２のいずれか１項に記載のケースにおける蓋の取付構造である。
【００１３】
請求項４に記載の発明は、前記ケース本体が、底の有る筒構造をなし、前記蓋取付方形枠部が、該筒構造における開口端寄り部位に設けられていることを特徴とする、請求項１〜３のいずれか１項に記載のケースにおける蓋の取付構造である。
請求項５に記載の発明は、前記ケース本体が回路基板収容用のケース本体であり、前記蓋がコネクタ端子付きの蓋であることを特徴とする、請求項１〜４のいずれか１項に記載のケースにおける蓋の取付構造である。
【００１４】
請求項６に記載の発明は、前記ケース本体が回路基板収容用のケース本体であり、前記ストッパは、前記二組の内壁面のうちの一組の内壁面に、内向きに突出し又は隆起するように設けられている一方、
前記回路基板は、前記ストッパが設けられていない一組の内壁面である２つの内壁面に対面状に挟まれる配置となるように前記ケース本体内へ収容される設定とされており、
前記ストッパは、ストッパ自身の内壁面相互間における前記蓋の取り付け前における最小内寸法を前記回路基板の対応する幅寸法より小さいものとして設けられていると共に、前記回路基板が、前記ケース本体内への収容に際して対面状に挟まれる前記２つの内壁面のうちの所定の一方の内壁面側に偏在する所定の偏在配置となる場合にはその収容を妨げず、該回路基板がこの所定の偏在配置とならない場合にはその収容を止められる配置として、前記内壁面に設けられていることを特徴とする、請求項１〜５のいずれか１項に記載のケースにおける蓋の取付構造である。
【００１５】
請求項７に記載の発明は、ケース本体は、断面が略方形で筒状又はソケット状をなす弾性変形可能の蓋取付方形枠部を有しており、該蓋取付方形枠部内に、その端の開口から、輪郭が略方形の蓋を、所定量、奥に押し込むことによって所定の蓋取付位置に取り付ける、蓋付きケースの製造方法であって、
前記蓋取付方形枠部内には、前記蓋の押し込まれ過ぎを防ぐストッパと、前記蓋取付位置に取り付けられた蓋が手前に移動し、分離するのを防ぐ係止部とが設けられており、
該係止部は、該蓋取付方形枠部をなす対向する二組の内壁面のうちの一組の内壁面に、前記蓋の取り付け前における最小内寸法Ｗｘｔが、前記蓋の対応する対辺寸法Ｈｘより小さくなるように、内向きに突出し又は隆起するように設けられており、
前記蓋の取り付け前の前記蓋取付方形枠部のうち、前記蓋取付位置における前記係止部が設けられている対向する内壁面の相互の対辺寸法Ｗｘが、前記蓋の対応する対辺寸法Ｈｘより大きくされている一方、前記蓋取付位置における前記係止部が設けられていない対向する内壁面の相互の対辺寸法Ｗｙが、前記蓋の対応する対辺寸法Ｈｙより小さくされており、
前記蓋を押し込み、該蓋が前記蓋取付位置に取り付けられている状態において、前記係止部が設けられていない対向する前記内壁面の相互の間隔が前記蓋によって広げられることに対応し、この内壁面相互が該蓋を締め付けると共に、この広げられに対応して、前記係止部が設けられている対向する前記内壁面の相互の間隔が狭められるように、前記蓋取付方形枠部が変形する設定とされていることを特徴とする。
【発明の効果】
【００１６】
本発明では、上記構成を有しており、蓋の取り付け前の蓋取付方形枠部のうち、蓋取付位置における対向する内壁面の相互の間隔について、縦横のいずれか一方の対辺寸法を、蓋の対応する各対辺寸法より小さくしている。すなわち、本発明では、前記係止部が設けられている対向する内壁面の相互の間隔である対辺寸法Ｗｘが、前記蓋の対応する対辺寸法Ｈｘより大きくされているが、前記係止部が設けられていない対向する内壁面の相互の間隔である対辺寸法Ｗｙは、前記蓋の対応する対辺寸法Ｈｙより小さくされている。したがって、蓋の取付状態では、後者の対辺寸法の方向においては、蓋は締め付けられるように取り付けられるから、ガタツキの発生を防止できる。一方、前者の対辺寸法の方向においては、対向する内壁面の相互の間隔の方が蓋の対応する対辺寸法より大きく設定されているため、蓋の押し込みにおいては、極端な押し込み力の増大を招くことはない。
【００１７】
しかも、該係止部が設けられていない対向する内壁面の相互の間隔である対辺寸法Ｗｙを、蓋の対応する対辺寸法Ｈｙより小さくしたことによって、蓋の取付状態においては、該係止部が設けられている対向する内壁面の相互の間隔は狭くなる。よって、蓋の取付状態においては、係止部による蓋に対する構造的な係り代を大きくできる。このため、蓋に引き抜き力（押し込みと反対向きの力）が作用したとしても、蓋が手前に移動し、又は分離することの防止作用が高められる。なお、本発明において、蓋の取り付け前の前記蓋取付方形枠部のうち、前記蓋取付位置における前記係止部が設けられている対向する内壁面の相互の対辺寸法Ｗｘが、前記蓋の対応する対辺寸法Ｈｘより大きくされている、というのは、これらの対辺寸法方向において、両者の間には、隙間が得られる寸法設定とされていることを意味する。また、前記蓋取付位置における前記係止部が設けられていない対向する内壁面の相互の対辺寸法Ｗｙが、前記蓋の対応する対辺寸法Ｈｙより小さくされているというのは、前記蓋が押し込まれて前記蓋取付位置に取り付けられている状態において、その内壁面相互で前記蓋を締め付け得る設定とされていることを意味する。
【００１８】
上記したように、本発明では、該係止部が設けられていない対向する内壁面の相互の対辺寸法Ｗｙを、蓋の対応する対辺寸法Ｈｙより小さくしているため、内壁面の相互の両対辺寸法とも、蓋の対応する両対辺寸法より大きくしている場合に比べれば、蓋の押し込みに要する力は増大するが、本発明では、該係止部が設けられている対向する内壁面の相互の対辺寸法Ｗｘを、蓋の対応する対辺寸法Ｈｘより大きくしている。これにより、その対辺寸法間では、係止部による抵抗に格別の増大を招かないから、蓋の押し込みに要する全体としての押し込み力の極端な増大を招かない。しかも、前記蓋が押し込まれて前記蓋取付方形枠部における前記蓋取付位置に取り付けられている状態においては、前記係止部が設けられていない対向する前記内壁面により、蓋は締め付けられる。その上に、前記係止部が設けられている対向する前記内壁面の相互の間隔が狭くなるように変形するため、その係止部における蓋の縁との係り代が、蓋取付前の設定寸法よりも増大する。よって、蓋の分離等の危険性を小さくできる。このように、本発明によれば、蓋の押し込みに要する押し込み力の極端な増大を招くことなく、しかも、蓋取付状態においては、ガタツキのない蓋の取付と、その分離等の危険性を低減できるという効果が得られる。
【００１９】
内向きに突出し又は隆起するように設ける係止部は、開口の手前から奥に向かうに従って、対向する係止部相互間の内寸法が小さくなるように設けるのがよいが、蓋が押し込まれることににより、その縁がその係止部を乗り越えて、蓋取付位置に位置決めされることができればよい。したがって、係止部は、蓋（蓋の縁）との係り代の大きさに応じて、適宜の傾斜状、又は、内寸法の変化にて形成すればよい。なお、本発明において、略方形とは、等辺の四角（略正方形）、又は不等辺の四角（略長方形）を意味するが、これは、一見、方形であればよく、物理的意味におけるものではない。したがって、蓋取付方形枠部をなす壁は、断面において、その四角の辺のうち、一組の対向する辺（内壁面）が外向きに緩やかな凸アール（円弧）をなし、他の一組の対向する辺（内壁面）が、逆に内向きに緩やかな凸アールをなすものであってもよいし、二組とも、外向き又は内向きに凸アールをなしていてもよい。また、本発明において、筒状又はソケット状とは、その蓋取付方形枠部の内径（対角寸法、又は対辺寸法）に比較し、その長さが長いものに限られず、短い筒状又はソケット状のものも含む概念として使用している。
【００２０】
前記係止部は、請求項２に記載のように、前記内壁面のうち、前記蓋取付方形枠部における隅角相互の中間部位に設けられているものとするのが、その変形の容易性より好ましい。ただし、この係止部は、１つの内壁面に１つでなく、複数に分割されていてもよい。なお、該係止部は、蓋取付方形枠部の断面における方形が長方形の場合には、その長辺をなす側の内壁面に設けるのが好ましいといえるが、その変形容易性に基づき、短辺をなす側の内壁面に設けてもよい。
【００２１】
また、前記蓋取付方形枠部の開口端寄り部位（内周面）は、蓋の押し込みのみで、蓋の取付ができるように、その押し込み前（自由状態）において、蓋が蓋取付方形枠部の端の開口（開口端）よりも奥に入り込み得る大きさの方形に設定しておくのがよい。しかし、前記蓋取付方形枠部に、適度の外力を付加して予備変形を付与することで、蓋が入り込み得るようにしておいてもよい。なお、請求項３に記載の発明によれば、二組の対向する内壁面とも、前記蓋取付位置よりも開口端側において、開口端に向けて対辺寸法が次第に大きくなるように形成されているため、蓋の押し込みにおける円滑、容易化が図られる。本発明において、ケース本体の形状、構造、又は、ケース本体における蓋取付方形枠部の部位等に関しては、ケースの用途等に応じて適宜のものとすればよい。ただし、請求項４に記載の発明のように、前記ケース本体が、底の有る筒構造をなし、前記蓋取付方形枠部が、該筒構造における開口端寄り部位に設けられているものであるのがよい。蓋取付方形枠部又はこれを含むケース本体は、適度の弾性変形性、及び靱性のある、例えば、ＰＡ６６などのナイロン系樹脂（ポリアミド系樹脂）や、ＰＢＴ樹脂などから、ケースの用途に応じ、適する樹脂を選択すればよい。
【００２２】
本発明においては、請求項５に記載の発明のように、前記ケース本体が回路基板収容用のケース本体であり、前記蓋がコネクタ端子付きの蓋である場合に好適といえるが、このようなケース本体又は蓋に限定されるものではない。また、回路基板を収容すべきケース本体については、前記蓋の押し込まれ過ぎを防ぐストッパを、請求項６に記載の発明のように構成しておき、このストッパで、その押し込まれ過ぎ防止とは別に、回路基板が所定の配置とならない場合の収容を防止するストッパ作用をも担わせるようにしておくことで、回路基板の組付け作業においてその誤収容（挿入）を容易に防止できる。なお、請求項７に記載の本発明の蓋付きケースの製造方法によれば、ケース本体の蓋取付方形枠部に対する蓋の押し込み（圧入）に要する力（荷重）の著しい増大を招くこともない。そして、その押し込みによる取付後には、その蓋のガタツキもなく、しかも、分離、脱落の危険性を小さくできる、ケースにおける蓋の取付構造、ないし、そのような蓋付きケースを効率的かつ低コストで得ることができる。
【図面の簡単な説明】
【００２３】
【図１】本発明を具体化した実施形態例を説明する蓋取付前のケース本体と、蓋の斜視図。
【図２】蓋が取付けられる前のケース本体の縦断面図。
【図３】蓋が取付けられる前のケース本体の図２におけるＡ−Ａ線断面図、及び要部拡大図。
【図４】図２におけるＢ−Ｂ線断面図（蓋取付位置を通る断面図）。
【図５】蓋の外形（輪郭）を説明するその表面（外側）から見た図。
【図６】蓋取り付け前の蓋取付方形枠部の蓋取付位置における内壁面の相互の対辺寸法Ｗｘ、Ｗｙと、対応する蓋の対辺寸法Ｈｘ、Ｈｙとの大きさ等の関係を説明するために、それらを線のみで誇張して示した模式図。
【図７】図２において、ケース本体の蓋取付方形枠部内に蓋が押し込まれる過程の説明図。
【図８】図３において、ケース本体の蓋取付方形枠部内に蓋が押し込まれる過程の説明図。
【図９】ケースにおける蓋の取付構造を説明する図２に対応する、縦断面図、及び要部拡大図。
【図１０】ケースにおける蓋の取付構造を説明する図３に対応する、縦断面図、及び要部拡大図。
【図１１】図６において、蓋取付方形枠部の横断面と、蓋の輪郭を変更した別例を、線のみで誇張して示した模式図。
【図１２】図６において、蓋取付方形枠部の横断面と、蓋の輪郭を変更した別例を、線のみで誇張して示した模式図。
【図１３】図７において、ケース本体の蓋取付方形枠部内に蓋が押し込まれたときの説明図であって、誤挿入により、回路基板が所定の内壁面ではない内壁面に偏在して収容されている説明図。
【図１４】図１３におけるＳ１−Ｓ１断面図。
【図１５】図１３において、回路基板が所定の偏在配置とならない場合にその収容が途中で止められるように、ストッパを構成した状態の説明図。
【発明を実施するための形態】
【００２４】
本発明を具体化した実施形態例について、図１〜図１０を参照しながら詳細に説明する。ただし、本例では、ケース本体が回路基板収容用のケース本体であり、蓋がコネクタ端子付きの蓋であって、回路基板を一体的に有してなるものである。各図に示したように、本例のケース１００において、蓋の取付構造を構成するケース本体１０１は、横断面が正方形に近い、略矩形で、先後に略一定の筒構造のものである。このケース本体１０１は、弾性変形が可能の樹脂製(プラスチック製、具体的には、ナイロン系樹脂製)で、一端に開放された開口１０３を有し、他端に底１０５を有すると共に、筒をなす４つの平坦な壁１０７，１０８を有する四角筒構造を呈している。一方、蓋２０１は、絶縁材（例えば、樹脂）からなり、図１、図５等に示したように、輪郭が正方形に近い略矩形（板状）に形成されたものであり、ケース本体１０１内においてその横断面を閉塞できるように形成されている。ただし、本例では一体的に設けられた回路基板２５０の端子と電気的に接続された適数の端子コネクタ２７０が、外側に向けて突出するように設けられている。そして、その回路基板２５０は、蓋２０１の裏面に垂直に、蓋２０１の矩形をなす一つの辺に沿って突き合わせ状に一体的に形成されている。
【００２５】
図２、図３等に示したように、ケース本体１０１は、その先後（筒の延伸方向）領域のうち、開口１０３側の端（図右端。開口端）寄りの略１／３の範囲が、筒状又はソケット状をなす蓋取付方形枠部１１０をなしており、残りの底（図左端）１０５寄りの部位が基板収容部位１１３とされている。そして、この蓋取付方形枠部１１０における奥方のうち、奥端又はその近傍(基板収容部位１１３と蓋取付方形枠部１１０との境界近傍)に、蓋２０１が押し込まれて取付けられる位置、すなわち、蓋取付位置１１５が設定されている。これにより、蓋取付方形枠部（方形枠部又は単に枠部ともいう）１１０の内断面（４つの壁１０７，１０８のなす内壁面１１７，１１８）に対応する略方形の蓋２０１が、枠部１１０内に開口１０３端から奥に押し込まれることによって蓋取付位置１１５に取り付けられる設定とされている。本例では蓋２０１は、上記したように回路基板２５０を一体的に有してなるものであるところ、この回路基板２５０は、蓋２０１がケース本体１０１に取付けられたときにおいて、ケース本体１０１の１つの壁１０８に平行で、近接して収容される設定とされている（図７参照）。なお、説明を簡易にするため、回路基板２５０は適宜、省略している。
【００２６】
上記したようにケース本体１０１は、蓋取付方形枠部１１０を含め、略一定の矩形の横断面の筒構造を呈しているが、このうち、蓋取付方形枠部１１０は、その開口１０３端寄り部位が、開口１０３端に向けてその内側の横断面が漸増するように形成されている（図２、３等参照）。すなわち、ケース本体１０１をなす壁１０７，１０８の内壁面１１７，１１８のうち、開口１０３端寄り部位においては、各対向する内壁面１１７、１１８の相互の間隔である対辺寸法（内断面の縦寸法又は横寸法）が、テーパ状に漸増し、その断面が大きくなるように形成されている。結果、筒状又はソケット状の蓋取付方形枠部１１０をなす壁１０７，１０８は、このテーパに対応して開口１０３端に向かうに従い、その肉厚が薄くなっている。なお、ケース本体１０１は、横断面(矩形)における内壁面１１７、１１８の４つの隅角(各コーナ)に、凹アール（円弧）が、筒の延伸方向に沿い、その略全長にわたって付けられている（図４参照）。そして、ケース本体１０１の基板収容部位１１３において対向する一組の内壁面１１７，１１７には、筒の延伸方向に沿って、凸条１２１が、その各内壁面に、それぞれ２本、その内壁面１１７の横方向（断面方形の辺）の中心と対称配置となるように間隔をおいて、その内壁面１１７に隆起状（内向きに突出し又は隆起するよう）に設けられている。本例では、各凸条１２１の先端(開口１０３寄りの端)が、蓋２０１の押し込まれ過ぎを防ぐストッパ１２３をなしている。このストッパ１２３は、蓋取付方形枠部１１０の奥端に位置しており、このストッパ１２３の手前（開口１０３端側）の所定範囲の部位が、蓋取付位置１１５をなしている。なお、各壁１０７，１０８のうち、ストッパ１２３よりも底１０５寄り部位は、開口１０３寄り部位より肉厚が厚くされている。
【００２７】
一方、蓋２０１は、この蓋取付方形枠部１１０内の蓋取付位置１１５において、その開口１０３(横断面)を略塞ぐことができるような縦横（輪郭）寸法を有し、対向する二組の辺２１７，２１８を有する矩形板状のものとされている。本例では、その方形枠部１１０の開口１０３端寄り部位が、上記したようにテーパにより漸増された横断面を有しており、自由状態において、蓋２０１の外周縁（辺）がその開口１０３端寄り部位に、周囲に微小な隙間を保持して入り込み得るように設定されている（図７，８参照）。なお、この蓋２０１のコーナには、枠部１１０の内壁面１１７，１１８の４つの隅角(各コーナ)に設けられたアールに対応した凸アールが設けられている（図５参照）。
【００２８】
上記したように、本例でのストッパ１２３は、ケース本体１０１の枠部１１０の内壁面１１７に設けられている凸条１２１の先端とされているが、この先端(ストッパ１２３)よりも、開口１０３端側の内壁面１１７には、押し込まれて蓋取付位置１１５に取付けられた蓋２０１が手前に移動したり、分離するのを防ぐ係止部１３１が設けられている。この係止部１３１は、凸条１２１が設けられている一組の対向する内壁面１１７に設けられている。ただし、係止部１３１は、各内壁面１１７において、凸条１２１の中間位置（横断面矩形の辺の中間位置）に設けられている。そして、この両係止部１３１は、蓋２０１の取付前において、図６の模式図に誇張して示したように、その対向する最小内寸法Ｗｘｔが、蓋（２点鎖線で示す）２０１の対応する対辺寸法Ｈｘより小さくなるように、内向きに突出し、又は隆起するように設けられている。なお、この係止部１３１は、各内壁面１１７において、枠部１１０における矩形の辺の略中央に中心が位置するように設けられてる。
【００２９】
しかして、蓋２０１は、方形枠部１１０内に、開口１０３端から押し込まれることで、その枠部１１０を変形させながら、蓋２０１の対向する両外周縁である辺２１７の部位が係止部１３１を乗り越え、ストッパ１２３にて止められ、蓋取付位置１１５に取付けられる設定とされている。そして、蓋２０１はその取付状態において、その対向する辺２１７寄りの外（開口１０３端）向き面が、係止部１３１の奥向き面にて係止され、手前に移動し、分離するのが防止されるようにされている。なお、本例では、係止部１３１に対応する蓋２０１の対向する両辺（縁）２１７のうち、外（開口１０３端）向き面に、蓋２０１の厚み方向に切欠き（かぎ状凹部）２２５が設けられており、蓋２０１の取付状態において、係止部１３１が、この切欠き（かぎ状凹部）２２５に嵌る設定とされている。
【００３０】
さて次に、図４〜図６を参照しながら、蓋２０１の取付け前の方形枠部１１０のうち、蓋取付位置１１５における対向する内壁面１１７，１１８の相互の対辺寸法と、取付けられる蓋２０１の対応する対辺寸法との寸法関係等について説明する。係止部１３１が設けられている対向する内壁面１１７の相互の間隔である対辺寸法（図示横方向の寸法）Ｗｘは、蓋２０１の対応する対辺寸法Ｈｘより、例えば、０．２〜０．５ｍｍ大きくされている（図６参照）。一方、係止部１３１が設けられていない対向する内壁面１１８の相互の間隔である対辺寸法（図示縦方向の寸法）Ｗｙは、蓋２０１の対応する対辺寸法Ｈｙより、例えば、０．２〜０．５ｍｍ小さくされている。なお、これら各寸法差は、各対辺寸法の大きさや、ケース本体１０１の変形容易性や強度に基づいて設定される。
【００３１】
一方、係止部１３１は、上記したように、その最小内寸法Ｗｘｔが、蓋２０１の対応する対辺寸法Ｈｘより小さくなるように設けられているが、この両係止部１３１の相互間の内寸法は、本例では、方形枠部１１０の奥に向かうに従い小さくなるように、それぞれ傾斜が付けられている。また、方形枠部１１０内の対辺寸法は、開口１０３の端に向かうに従い増大するように、各内壁面１１７、１１８にはテーパが付けられているのは上記したとおりであるが、この開口１０３端寄り部位の対向する内壁面の相互の間隔である対辺寸法は、縦横、いずれも、取付けられる蓋２０１の対応する対辺寸法より大きくされている。これにより、蓋２０１の押し込みに際し、蓋２０１は枠部１１０内に隙間嵌めできるようにされている。ただし、本例では、開口１０３の端に向かうに従い増大するテーパ勾配の開始位置は、突起をなす係止部１３１よりも開口１０３端側に設定されているが、これは、係止部１３１から開始する等、蓋２０１の押し込みやすさを考慮して適宜に設定すればよい。
【００３２】
上記したようなケース本体１０１と蓋２０１とからなる本例においては、図７、図８に示したように、蓋取付方形枠部１１０の自由状態において、その開口１０３端寄り部位の内側に、その開口１０３を塞ぐように蓋２０１を対応する縦横状態で配置する。そして、その体勢のまま、矢印方向に奥に押し込む。こうすることで、図９、図１０に示したように、蓋２０１は蓋取付位置１１５に取付けられ、本例のケース１００における蓋の取付構造が得られる。すなわち、この押し込みにより、係止部１３１に対応する位置（図４〜６における横方向の位置。以下、横方向）にある蓋２０１の対向する外周縁をなす辺２１７の部位が、係止部１３１を乗り越え、奥のストッパ１２３で止められ、別の位置（図４〜６における縦方向の位置。以下、縦方向）にある蓋２０１の対向する外周縁をなす辺２１８の部位が、方形枠部１１０の内壁面１１８相互間を広げるように、それぞれの内壁面を変形させながら、蓋２０１は押し込まれ、蓋取付位置１１５に取付けられ、ケース（筐体）１００における蓋２０１の取付構造（蓋付きケース）が得られる（図９、図１０参照）。
【００３３】
なお、この押し込み過程では変形の発生状況の詳細は次のように考えられる。まず、蓋２０１がストッパ１２３に止められるまで、方形枠部１１０は、図４〜６におけるその縦方向に対向する内壁面１１８の相互の間隔が、蓋２０１の両縁の辺２１８の部位にて広げられる。一方、その横方向に対向する枠部１１０の内壁面１１７の相互の間隔は、その広げられに対応して狭められるように変形する。しかし、枠部１１０の係止部１３１に蓋２０１の縁が押し付けられ、蓋２０１の縁が係止部１３１を乗り越えるまでは、その係止部１３１を含む部位を中心として枠部１１０の内壁面１１７は部分的に広げられように変形する。そして、係止部１３１の乗り越えが終わった後、すなわち、ストッパ１２３に止められて、蓋２０１が蓋取付位置１１５に取付けられたときには、Ｗｙ＜Ｈｙの上記寸法関係に基づき、同位置１１５においては、縦方向に対向する蓋２０１の辺２１８により、内壁面１１８の相互の間隔が、実際には、図９中の２点鎖線で示したように広げられる。
【００３４】
この広げられに対応して、蓋取付位置１１５における横方向に対向する枠部１１０の係止部１３１が設けられている内壁面１１７の相互の間隔（図１０参照）は、弾性に基づく復元状態（自由状態における上記寸法Ｗｘ）よりも小さくなるように狭められる。かくして、蓋２０１が押し込まれて蓋取付位置１１５に取り付けられている状態においては、図９中の２点鎖線で示したように、縦方向に対向する内壁面１１８の相互が蓋２０１によって広げられる分、蓋２０１は枠部１１０にて縦方向に締め付けられる。他方、この広げられに対応して、横方向に対向する内壁面１１７の相互の間隔は狭められる。結果、図１０に示される係止部１３１における蓋２０１の外周縁をなす辺２１７との係り代を、蓋２０１取付前の設定寸法である、（Ｈｘ−Ｗｘｔ）／２よりも増大させることができる。
【００３５】
このように、本例では、係止部１３１が設けられていない対向する内壁面１１８の相互の間隔である対辺寸法Ｗｙが、蓋２０１の対応する対辺寸法Ｈｙより小さいため、この内壁面１１８の相互間では、押し込み力の増大を招くものの、係止部１３１が設けられている対向する内壁面１１７の相互の間隔である対辺寸法Ｗｘを、蓋２０１の対応する対辺寸法Ｈｘより大きくしているため、この内壁面１１７の相互間では、係止部１３１の部位を含む部分的な抵抗（押し広げ）を伴う押し込みですむ。すなわち本発明では、内壁面の相互の間隔である対辺寸法を縦横ともに、蓋２０１の対応する対辺寸法より小さくすることなく、係止部１３１の設けられていない内壁面１１８の相互の間隔である対辺寸法のみを小さくしているだけであるから、蓋２０１の押し込み力の極端な増大は招くことがない。そして、その係止部１３１が設けられていない対向する内壁面１１８の相互間においては、蓋２０１の緊密化が図られる。これにより、蓋２０１のガタツキは防止される。
【００３６】
一方、係止部１３１が設けられている対向する内壁面１１７の相互間においては、係止部１３１の乗り越えに伴う押し込み抵抗はともなうものの、取付後には、その内壁面１１７の相互の間隔が、蓋取付前よりも小さくなるため、その分、蓋２０１の対応する辺２１７と係止部１３１との係り代を増大させることができるから、蓋２０１の分離、脱落の危険性を大きく低減できる。とくに、本例では、蓋２０１のコネクタ端子２７０に、外部リード線における相手方の端子（メス）コネクタが差し込み方式で接続されることになる。このため、その後のメンテナンス等において、それが大きな力で引き抜かれることがあるが、その取付構造に基づき、蓋の分離、脱落の危険性を大きく低減できる。結果、本例のケース１００における蓋２０１の取付構造によれば、高度の耐振動性や耐衝撃性が得られるから、自動車に搭載される電子制御装置（以下、ＥＣＵ）を収容するためのケース（筐体）に好適である。
【００３７】
また、本例では、係止部１３１を蓋取付方形枠部１１０の矩形をなす辺の中間部位に設けたため、その辺における変形のアンバランスが防止される。これにより、押し込みの容易化と共に、取付の安定性も図られる。係止部１３１の突出量、又は隆起量等は、押し込み力、ないし、方形枠部１１０の変形容易性を考慮して適宜に設定すればよい。また、本例では、方形枠部１１０は、二組の対向する内壁面１１７，１１８とも、蓋取付位置１１５よりも開口１０３端側において、開口１０３端に向けて対辺寸法が次第に大きくなり、かつ、自由状態において、蓋２０１が方形枠部１１０内のうち、その開口１０３端寄り部位に入り込み可能とされている。これにより、蓋２０１の取り付け作業の簡易、円滑化が図られる。
【００３８】
なお、蓋２０１の押し込み開始は、自由状態にある蓋取付方形枠部１１０内において行うだけでなく、例えば、係止部１３１が設けられている対向する内壁面１１７の相互間を、その両壁１０７を両側から挟んで圧縮することで、係止部１３１が設けられていない対向する内壁面１１８の相互間の寸法を大きくした状態で開始してもよい。また、本例では、対向する係止部１３１相互間に、奥に向かうに従い、内寸法が小さくなるような傾斜を付けたが、係止部１３１自体の変形等により、それらに亀裂等を発生させることなく蓋２０１の押し込みができ、その取付ができる限り、係止部はこのような傾斜のない突起（突出片又は隆起部）としてもよい。また、例えば、係止部１３１が設けられていない対向する内壁面１１８の相互の間隔である対辺寸法（図示縦方向の寸法）Ｗｙを、蓋２０１の対応する対辺寸法Ｈｙより小さくする程度も、適度の押し込み力でその押し込みができるように設定すればよいのは上記したとおりである。また、係止部１３１が設けられている対向する内壁面１１７の相互の間隔である対辺寸法（図示横方向の寸法）Ｗｘを、蓋２０１の対応する対辺寸法Ｈｘより大きくする程度も、押し込み後において、蓋２０１の外周縁と係止部１３１との係り代が適度に増大するように、適宜に設定すればよい。この場合、蓋２０１に対する隙間がなるべく小さくなるようにするのがよいが、隙間が０となるようにしてもよい。
【００３９】
上記例では、蓋取付方形枠部１１０の矩形の隅角、又は、蓋２０１の角にアールを付けたものにおいて具体化したが、本発明はその有無に関係なく具体化できる。本発明において、蓋取付方形枠部１１０の横断面、及び蓋２０１における略方形とは、一見、正方形、又は長方形とみられるものをいうのは、上記したとおりである。したがって、図１１の模式図に誇張して示したように、蓋取付方形枠部１１０をなす壁は、係止部１３１が設けられている対向する内壁面１１７が、横断面矩形の辺において外向きに緩やかな凸アールで膨らみ出る円弧形状をなし、他の一組の対向する内壁面１１８が、横断面矩形の辺において、逆に緩やかな凹アールで凹む円弧形状をなしているものであってもよい。そして、この場合、例えば、蓋（２点線）２０１の対応する矩形の辺のうち、凹アールの内壁面１１８に対応する辺２１８が、凸アールで膨らみ出る円弧形状をなすものでもよい。なお、図６と同一、又は対応する部位には、同一の符号を付している。また別例としては、図１２に誇張して示したように、このような方形枠部１１０の横断面形状において、対向する二組の内壁面１１７、１１８が、共に横断面矩形の辺において外向きに緩やかな凸アールで膨らみ出る円弧形状をなしているものであってもよい。そして、この場合、例えば、蓋（２点線）２０１の対応する矩形の辺のうち、係止部１３１の設けられていない内壁面１１８に対応する辺２１８が、緩やかな凹アールで凹む円弧形状をなしていてもよい。すなわち、図１１，１２中に示したように、蓋取付方形枠部１１０の横断面、及び蓋２０１は、一見、正方形、又は長方形であればよい。なお、図１１、１２中に示したように、各辺が、アールをなすような場合には、Ｗｘ，Ｈｘ，Ｗｙ，Ｈｙは、それぞれの内寸法、又は外寸法は最大の寸法をいう。
【００４０】
さらに、本例では、ケース本体１０１を、横断面一定の有底筒状のものとし、蓋取付方形枠部１１０がその開口１０３端寄り部位にあるものとして、具体化したが、本発明におけるケース本体は、断面が略方形で筒状又はソケット状をなす弾性変形可能の蓋取付方形枠部を有しているものであればよい。すなわち、上記もしたように、ケース本体は、このような蓋取付方形枠部を、ケース本体の一部として有していればよく、したがって、ケース本体の形状等はいずれのものとしても具体化できる。また、本発明は、ＥＣＵ用のケースに限られず、広くケースにおける蓋の取付構造又は蓋付きケースに適用できる。
【００４１】
なお、上記例においては、ケース本体１０１が回路基板収容用のケース本体であり、蓋２０１がコネクタ端子付きの蓋であって回路基板２５０を一体的に有してなるものであり、この回路基板２５０は、蓋２０１がケース本体１０１に押し込まれて取付けられたときにおいて、それの１つの壁１０８に平行で対面し、しかも、近接して収容される設定とされている（図７参照）。図７は、蓋（回路基板）２０１の押し込まれ過程（回路基板の収容途中）を説明する図であるが、この回路基板（以下、単に基板ともいう）２５０は、その収容後には、蓋２０１の押し込まれ過ぎを防ぐストッパ１２３が設けられていない一組の内壁面（図７における上下２つの内壁面）１１８，１１８に対面状に挟まれる配置となり、そのうちの所定の一方の内壁面（図７の上）１１８側に偏在して対面する偏在配置となる設定とされている。
【００４２】
一方、このストッパ１２３は、図７における上下でない一組の内壁面１１７において（図４、図８参照）、図７に示したように、上下に間隔をおいて平行状に設けられた凸状１２１の先端面（ストッパ）として設けられている。そして、回路基板２５０は、図７における上の凸状１２１と、上の内壁面１１８との間に位置して収容されるが、この間の寸法（間隔）と、同図における下の凸状１２１と、下の内壁面１１８との間の寸法（間隔）とは略同じある。このため、図１３に示したように、回路基板２５０が、図７におけるような所定の偏在配置とならず、それとは上下が逆の、下の凸状１２１と、下の内壁面１１８との間に位置し、誤って組み付けられて、収容されてしまうこともあり、組み付け不良（基板の挿入ミス）を招くことがある。すなわち、このようなストッパ１２３を含む凸状１２１の配置においては、図１３に示したように、その上下の各間隔Ｋａ，Ｋｂが同じであるため、凸状１２１の先端面のストッパ１２３が、図１４に示したように、それ自身の内壁面１１８相互間における、蓋２０１の取り付け前における最小内寸法Ｗｓを回路基板２５０の対応する幅Ｈ寸法より小さいものとして設けられているとしても、回路基板２５０が、下の凸状１２１と、下の内壁面１１８との間に位置し、図１４中に２点鎖線で示したような所定の偏在配置とならず、図１３、図１４に示したように誤って組み付けられ、収容されてしまうことがある。
【００４３】
図１５は、このような組み付け不良（基板の挿入ミス）の発生の未然防止ができるようにした実施例である。すなわち、このものは、図７、図１３、図１４における図示下のストッパ１２３を含む凸状１２１を、回路基板２５０が上記したような所定の偏在配置とならないような場合（図１３、図１４参照）には、そのような収容となるのを止められる配置で内壁面１１７に設けたものである。本例では、同図における上の凸状１２１と、上の内壁面１１８との間の寸法（間隔）Ｋａを、回路基板２５０の収容ができる寸法としておく一方、例えば、同図における下の凸状１２１の上下幅Ｔを下方に向けて大きくとり、該下の凸状１２１と、下の内壁面１１８との間の寸法（間隔）Ｋｂを相対的に小さくし、その下の凸状１２１の先端面である蓋２０１の押し込まれ過ぎを防ぐストッパ１２３に、基板２５０の挿入ミスの場合には、その先端２５０ｓが当たるように構成したものである（図１５中のＰ１部分参照）。このようにしておくことで、基板２５０が、所定の一方の内壁面（図示上の内壁面１１８）側に偏在する所定の偏在配置となる場合（図７参照）にはその収容は妨げられず、回路基板２５０がこの所定の偏在配置とならない場合（図１３、図１４参照）には、その基板の先端２５０ｓが下の凸状１２１の先端面であるストッパ１２３に当たり、その収容が止められる。これにより、回路基板２５０の組み付け不良の発生が確実に防止される。
【００４４】
すなわち、本発明において、ストッパ１２３は、本来、蓋２０１の押し込まれ過ぎを防ぐためのものであり、それが達成される限り、内壁面のいずれに設けてもよいわけであるが、前記したような構成としておくことで、前記した別の付加的な効果が得られる。とくに、上記したように基板２５０が蓋２０１に一体的に設けられており、同基板２５０が蓋２０１の押し込み過程で同時にケース本体１０１内に収容されるような場合には、その効果に著しいものがある。なお、上記例では、ストッパを、図７等において、ケース本体内である内壁面１１７に、上下において間隔をおいて横方向に延びる２つの凸状１２１の先端面とし、そのうちの図示下の凸状１２１の先端面としている。そして、図１５では、下の凸状１２１と、下の内壁面１１８との間の寸法（間隔）Ｋｂを相対的に小さくし、基板の誤挿入を防止しているが、ストッパ作用よりして、その寸法（間隔）Ｋｂは、０（無）でもよいし、凸状とは切り離して、或いは、凸状とは別に設けてもよいことは明らかである。また、図１５において回路基板２５０が所定の偏在配置となる場合、上の凸状１２１を基板の支持手段としても活用できる。より具体的には、基板２５０の挿入、収容後においてその基板の上下両面において上の凸状、及び上の内壁面と、接するか、微小な空隙で位置する設定としておくことで、基板は、その厚み方向への動きが規制されるので、その安定した支持が得られる。なお、上記例では、回路基板が蓋に一体的に設けられているものにおいて説明したため、蓋の押し込みにおける取付と共に基板の収容が行われるが、このような基板は蓋の取付とは別に挿入して収容することとしてもよい。
【符号の説明】
【００４５】
１００  ケース
１０１  ケース本体
１０３  蓋取付方形枠部の開口
１１０  蓋取付方形枠部
１１５  蓋取付位置
１１７  係止部が設けられている対向する内壁面
１１８  係止部が設けられていない対向する内壁面
１２３  ストッパ
１３１  係止部
２０１  蓋
Ｗｘ  蓋取付位置における係止部が設けられている対向する内壁面の相互の対辺寸法
Ｗｘｔ  係止部相互の最小内寸法
Ｈｘ  係止部が設けられている対向する内壁面の相互に対応する蓋の対辺寸法
Ｗｙ  蓋取付位置における係止部が設けられていない対向する内壁面の相互の対辺寸法
Ｈｙ  係止部が設けられている対向する内壁面の相互に対応する蓋の対辺寸法
【図１】
0006283700.tif 000002
【図２】
0006283700.tif 000003
【図３】
0006283700.tif 000004
【図４】
0006283700.tif 000005
【図５】
0006283700.tif 000006
【図６】
0006283700.tif 000007
【図７】
0006283700.tif 000008
【図８】
0006283700.tif 000009
【図９】
0006283700.tif 000010
【図１０】
0006283700.tif 000011
【図１１】
0006283700.tif 000012
【図１２】
0006283700.tif 000013
【図１３】
0006283700.tif 000014
【図１４】
0006283700.tif 000015
【図１５】
0006283700.tif 000016